(57)【要約】【課題】リンクチャネル割当送信時に発生する送信待ち時間を短縮させて基地局の応答レスポンスを早めること。【解決手段】二つのＬＣＣＨを送信する送信制御部２３２に於いて一方のＬＣＣＨはＢＣＣＨのみを送信する第１の送信制御部２３４と、他方のＬＣＣＨは通信時に使用するチャネルの割当（ＳＣＣＨ）のみを送信する第２の送信制御部２３４とをＣＳ２００に設けると共に、待受け時、ＣＳ２００がＢＣＣＨを送信している方のＬＣＣＨに待受けを行う待受け制御部１３２と、通信を行う場合にはＣＳ２００が通信時に使用するチャネルの割当のみを送信している方のＬＣＣＨに切り替える切替え制御部１３４をＰＳ１００に設けた。【選択図】　図２
2004096144.tif 000002
【特許請求の範囲】
【請求項１】
ＰＨＳ通話を行うＰＨＳ端末機器と、エリア内に位置する前記ＰＨＳ端末機器との通信を行うＰＨＳ基地局と、このＰＨＳ基地局と接続し当該ＰＨＳ基地局を管理制御するセンターとから成るＰＨＳネットワークに於いて、
前記ＰＨＳ基地局は、
２つの論理制御チャネル情報を送信する送信制御手段を有し、
この送信制御手段は、報知チャネル、一斉呼び出しチャネルおよび個別セル用チャネルを所定の順序で周期的に繰り返し送信する論理制御チャネル情報を送信する第１の送信制御手段およびこの第１の送信制御手段に同期してチャネルの割当情報のみを繰り返し送信する第２の送信制御手段とを含み、
前記ＰＨＳ端末機器は、
待受け時には前記ＰＨＳ基地局が第１の送信制御手段により送信している論理制御チャネル情報に対して待受けを行う待受け制御手段と、
この待受け制御手段を、通信時に前記ＰＨＳ基地局が第２の送信制御手段により送信するチャネルの割当情報に対して待受けを行うように切り替える切替え制御手段と、を備えたことを特徴とするＰＨＳネットワークに於ける端末機器接続制御システム。
【請求項２】
前記ＰＨＳ基地局は、前記端末機器からチャネルの割当の要求があった場合、前記第２の送信制御手段によりチャネル割当情報を送信するように構成としたことを特徴とする請求項１記載のＰＨＳネットワークに於ける端末機器接続制御システム。
【請求項３】
ＰＨＳ通話を行うＰＨＳ端末機器と、エリア内に位置する前記ＰＨＳ端末機器との通信を行うＰＨＳ基地局と、このＰＨＳ基地局と接続し当該ＰＨＳ基地局を管理制御するセンターとから成るＰＨＳネットワークシステムに於いて、
前記ＰＨＳ基地局では、
報知チャネル、一斉呼び出しチャネルおよび個別セル用チャネルを所定の順序で周期的に繰り返し送信する第１の論理制御チャネル情報、およびこの論理制御チャネル情報に同期してチャネルの割当情報のみを繰り返し送信する第２の論理制御チャネル情報を送信し、
前記ＰＨＳ端末機器では、
待受け時には前記ＰＨＳ基地局が第１の送信制御手段により送信する論理制御チャネル情報に対して待受けを行うとともに、この待受けを、通信時に前記ＰＨＳ基地局が送信する第２の送信制御手段により送信するチャネルの割当情報に対して行うように切り替えるようにしたことを特徴とするＰＨＳネットワークに於ける端末機器接続制御方法。
【請求項４】
前記ＰＨＳ基地局は、前記端末機器からチャネルの割当の要求があった場合、前記第２の論理制御チャネル情報によりチャネル割当情報を送信することを特徴とする請求項３記載のＰＨＳネットワークに於ける端末機器接続制御方法。
【発明の詳細な説明】
【０００１】
【発明の属する技術分野】
本発明は、ＰＨＳネットワークシステムのＰＨＳ端末機器とＰＨＳ基地局との接続方式の改善を図ったＰＨＳネットワークに於ける端末機器接続制御システム及びＰＨＳネットワークに於ける端末機器接続制御方法に関する。
【０００２】
【従来の技術】
従来、ＰＨＳ移動局（以下端末機器又はＰＳという。）と、この端末機器とＰＨＳ通信にて接続するＰＨＳ基地局と、この基地局を公衆網を介して接続し管理制御するセンターとから構成されるＰＨＳネットワークシステムが提供されている。このネットワークシステムにあっては、端末機器から発呼の為の通話チャネル割当の要求（リンクチャネル確立要求：ＳＣＣＨ）を受信すると、基地局側で通話チャネルの割当を行い、リンクチャネル割当（ＳＣＣＨ）を端末機器に送信する。この送信に際しては、送信されるリンクチャネル割当（ＳＣＣＨ）は、予め定められたスーパーフレーム構成で定義されたタイミングでしか送信できなかった。従って、図７に示すように、報知チャネル（ＢＣＣＨ）や一斉呼出チャネル（ＰＣＨ）送信のタイミングにリンクチャネル確立要求（ＳＣＣＨ）を受信し、リンクチャネル割当（ＳＣＣＨ）を送信しようとすると、次のリンクチャネル割当（ＳＣＣＨ）を送信可能なタイミングまで待たなければならず、最大で１００ｍｓ×６程度のリンクチャネル割当（ＳＣＣＨ）送信に対する待ち時間が発生してしまうという欠点があった。
【０００３】
【発明が解決しようとする課題】
上述したように従来のＰＨＳネットワークシステムでは、スーパーフレーム構成による接続に対する待ち時間が発生する為、端末機器からのリンクチャネル確立要求（ＳＣＣＨ）に対し、基地局のリンクチャネル割当（ＳＣＣＨ）応答のレスポンスが遅くなるという不具合があった。
【０００４】
そこで、本発明は前記事情を考慮して成されたもので、前記不具合を解消し、リンクチャネル割当送信時に発生する送信待ち時間を短縮させて応答レスポンスを早めることを可能としたＰＨＳネットワークに於ける端末機器接続制御システム及びＰＨＳネットワークに於ける端末機器接続制御方法を提供することを目的とする。
【０００５】
【課題を解決するための手段】
本発明は前記目的を達成する為、ＰＨＳ通話を行うＰＨＳ端末機器と、エリア内に位置する前記ＰＨＳ端末機器との通信を行うＰＨＳ基地局と、このＰＨＳ基地局と接続し当該ＰＨＳ基地局を管理制御するセンターとから成るＰＨＳネットワークに於いて、前記ＰＨＳ基地局は、二つの論理制御チャネル情報を送信する送信制御手段を有し、この送信制御手段は、報知チャネル、一斉呼び出しチャネルおよび個別セル用チャネルを所定の順序で周期的に繰り返し送信する論理制御チャネル情報を送信する第１の送信制御手段およびこの第１の送信制御手段に同期してチャネルの割当情報のみを繰り返し送信する第２の送信制御手段とを含み、前記ＰＨＳ端末機器は、待受け時には前記ＰＨＳ基地局が第１の送信制御手段により送信している論理制御チャネル情報に対して待受けを行う待受け制御手段と、この待受け制御手段を、通信時に前記ＰＨＳ基地局が第２の送信制御手段により送信するチャネルの割当情報に対して待受けを行うように切り替える切替え制御手段とを備えたことを特徴とするものである。
【０００６】
このように接続時のリンクチャネル割当送信に於いて、ＰＨＳ基地局は通常の論理制御チャネル情報送信手段のほかに、チャネルの割当情報専用の論理制御チャネル情報送信手段を設けたため、チャネルの割当情報の送信に際しては、通常の論理制御チャネル情報におけるチャネルの割当情報の送信タイミングまで待つ必要がなくなり、接続時間の短縮を図ることができる。
【０００７】
【発明の実施の形態】
以下、本発明の一実施形態を図を参照して説明する。
【０００８】
図１は、本実施形態のＰＨＳネットワークシステムの全体構成を概略的に示す図である。本ネットワークシステムは、ＰＨＳ移動局（以下端末機器又はＰＳという。）１００と、このＰＳ１００と無線接続する基地局２００（以下ＰＨＳ基地局又はＣＳという。）、この基地局２００と公衆網３００を介して接続し基地局２００を管理制御するセンター４００とから構成されるものである。
【０００９】
ここで、ＰＳ１００はＰＨＳ無線通信を行うＰＨＳ端末機器としての機能を有するものであり、ＣＳ２００は所定エリア内のＰＳ１００とのＰＨＳ無線通信並びにセンター４００との所定の通信を行う機能を有するものである。そして、発呼時等にＰＳ１００よりリンクチャネル確立要求（ＳＣＣＨ）を受信すると、ＣＳ２００で未使用の通信用チャネルを選択しＰＳ１００に対してリンクチャネル割当（ＳＣＣＨ）の送信を行うよう構成されている。
【００１０】
ＰＳ１００は、図２に示すように、ＣＳ２００との無線通信を行う為の通信用のアンテナ１１０と、このアンテナ１１０と接続しＣＳ２００との通信を司る無線ユニット１２０と、ＰＳ１００全体の制御を司りマイクロコンピュータ等から成る制御部１３０と、この制御部１３０が参照する各種制御プログラムや各種データを格納するメモリ１４０とを含んでいる。ここで、制御部１３０には、ＣＳ２００が報知情報（ＢＣＣＨ）、一斉呼び出しチャネル（ＰＣＨ）および個別セル用チャネル（ＳＣＣＨ）を含む第１の論理制御チャネル情報に対する待受けを行う待受け制御部１３２と、基地局ＣＳ２００が通信時に使用するチャネルの割当のみを送信している第２の論理制御チャネル情報の待受けに切り替える切替え制御部１３４とが設けられている。そして、待受け制御部１３２は、ＰＳ１００が、アンテナ１１０及び無線ユニット１２０を介してＣＳ２００からの情報を受信し、待受けを行う為に必要な機能構成を有しており、着呼を受け付ける為にＣＳ２００が第１の論理制御チャネル情報に対して待受けを行うものである。切替え制御部１３４は、発着呼時等の通話チャネルの割当を要求する際に使用され、第２の論理制御チャネル情報の待受けに切替えを行った後にリンクチャネル確立要求をＣＳ２００に送出するものである。
【００１１】
ＣＳ２００は、図３に示すように、ＰＳ１００との無線通信を行う為の通信用のアンテナ２１０と、このアンテナ２１０と接続しＰＳ１００との通信を司る無線ユニット２２０と、基地局２００全体の制御を司りマイクロコンピュータ等から成る制御部２３０と、この制御部２３０が参照する各種制御プログラムや各種データを格納するメモリ２４０と、公衆網３００と接続する回線ユニット２５０とを備えている。而して、制御部２３０は、２つの論理制御チャネル（以下ＬＣＣＨともいう。）を送信する送信制御部２３２を有しており、この送信制御部２３２は報知情報（ＢＣＣＨ）、一斉呼び出しチャネル（ＰＣＨ）および個別セル用チャネル（ＳＣＣＨ）を含む第１の論理制御チャネル情報を送信する第１の送信制御部２３４と、通信時に使用するチャネルの割当情報のみからなる第２の論理制御チャネル情報を送信する第２の送信制御部２３６とを含んでいる。そして、これらの送信制御部２３４、２３６は、それぞれ異なる周波数と異なるタイミングで第１の論理制御チャネル情報と第２の論理制御チャネル情報を送信するように構成されている。即ち、第１の送信制御部２３４は、２つの論理制御チャネル情報の周波数及びタイミング等の情報や回線ユニット２５０を介して送出されてきた着呼情報を無線ユニット２２０及びアンテナ２１０を介してＰＳ１００に通知する機能を有している。第２の送信制御部２３６は、ＰＳ１００からリンクチャネル確立要求を受信した場合に使用していない通話チャネルを選択して当該チャネルを無線ユニット２２０及びアンテナ２１０を介してＰＳ１００に通知する機能を有している。
【００１２】
図４にアンテナ２１０及び無線ユニット２２０にて１００ｍｓ間隔で送信されている論理制御チャネルを形成するスーパーフレームの構成を示す。図中、左側部分に示すものは従来のスーパーフレーム構成であり、右側部分に示すものは本発明において追加されたスーパーフレーム構成である。従来から用いられている通常のスーパーフレームは１００ｍｓ間隔で夫々のチャネル（ＢＣＣＨ、ＰＣＨ、ＳＣＣＨ）を送信していくが、本発明ではさらに、通話チャネル割当専用の第２の論理制御チャネル情報スーパーフレームを設け、常に通話チャネル割当情報（ＳＣＣＨ）を送信するようにしている。ところで、従来の単一のスーパーフレーム構成では、例えば、ＣＳ２００が３番目のＳＣＣＨを送信した後、ＰＳ１００から通話チャネルの割当の要求が送信されると、次のＳＣＣＨの送信タイミングまで待つ為、約６００ｍｓの待ちが発生するものである。これは、ＰＣＨ、ＰＣＨ、ＢＣＣＨ、ＰＣＨ、ＰＣＨと送信した後にＳＣＣＨの送信となることに起因する。これに比して、本実施形態の構成では、いかなるタイミングでＰＳ１００から通話チャネルの割当の要求がきたとしても、通話チャネル割当専用ＬＣＣＨで送ることができるので、常に約１００ｍｓの待ちで送信することができる。
【００１３】
前記構成につき、その動作・作用を図５の接続時の動作シーケンス及び図６のフローチャートを参照して説明する。
【００１４】
ＣＳ２００がＳＴ２−１（図５参照）で、送信制御部２３２により二つの論理制御チャネル（図中ＬＣＣＨ１、ＬＣＣＨ２とする。）を送信すると（図６のステップＳ６０２）、ＰＳ１００がＳＴ１−１で、待受け制御部１３２によりＣＳ２００が報知情報を送信しているＬＣＣＨ１に待受けを行う（ステップＳ６０４）。この時、ＣＳ２００は第１の送信制御部２３４及び第２の送信制御部２３６によりＬＣＣＨ１は報知情報用として、ＬＣＣＨ２は接続用として使用することになる。
【００１５】
次に、ＰＳ１００が接続を行う為（ステップＳ６０６）、ＳＴ１−２で、切替え制御部１３４により、ＬＣＣＨ２側に切替え、ＳＴ１−３でリンクチャネル確立要求を送信する（ステップＳ６０８）。ＣＳ２００がＳＴ２−４にてこれを受信すると、空いている通話チャネルを選択し、ＳＴ２−５でリンクチャネル割当情報を送る（ステップＳ６１０）。この時、リンクチャネル割当はＬＣＣＨ２の側で送るので、ＳＣＣＨ送信待ちは常に１００ｍｓ以内となり、接続時間の短縮が可能となるものである。
【００１６】
上述したように本実施形態によれば、２つの論理制御チャネル（ＬＣＣＨ）を送信する送信制御部２３０に於いて一方のＬＣＣＨは報知情報のみを送信する第１の送信制御部２３４、他方のＬＣＣＨは通信時に使用するチャネルの割当（ＳＣＣＨ）のみを送信する第２の送信制御部２３６を設けると共に、待受けの場合はＣＳ２００が報知情報（ＢＣＣＨ）を送信している方のＬＣＣＨに待受けを行う待受け制御部１３２と、通信を行う場合にはＣＳ２００が通信時に使用するチャネルの割当のみを送信している側のＬＣＣＨに切り替える切替え制御部１３４をＰＳ１００に設けたので、接続時のリンクチャネル割当送信に於いて、報知情報用のＬＣＣＨと接続用のＬＣＣＨを分けることができ、ＳＣＣＨの送信タイミングまで待つ必要がなくなり、接続時間の短縮を図れるものである。
【００１７】
即ち、本実施形態によれば、論理制御チャネルとして従来の論理制御チャネルの他にＳＣＣＨのみを送信するチャネルを追加し、ＣＳ２００ではＰＳ１００からＳＣＣＨ要求を受信すると、直ちに専用チャネルを利用してＳＣＣＨを送信できる。又、ＰＳ１００は、待受け状態ではＣＳ２００からの報知情報を受信し、ＳＣＣＨ受信後は専用チャネルを受信するよう機能構成されている。従って、応答レスポンスの向上を図ることができる。
【００１８】
【発明の効果】
以上詳記したように本発明によれば、接続時のリンクチャネル割当送信に於いて、報知情報用の論理制御チャネルと接続用の論理制御チャネルとを分けるようにしているので、リンクチャネル割当の送信タイミングまで待つ必要がなくなり、接続時間の短縮を図ることができる。即ち、リンクチャネル割当送信時に発生する送信待ち時間を短縮させて基地局の応答レスポンスを早めることできるという優れた効果を奏するものである。
【図面の簡単な説明】
【図１】本発明の一実施形態に係るＰＨＳネットワークシステムの全体構成を概略的に示す図。
【図２】同実施形態に係り、端末機器の概略構成を示す図。
【図３】同実施形態に係り、基地局の概略構成を示す図。
【図４】同実施形態に係るスーパーフレーム構成を示す図。
【図５】同実施形態に係わる動作・作用のシーケンスを示す図。
【図６】同実施形態に係わる動作・作用の処理の流れを示すフローチャート。
【図７】従来のスーパーフレーム構成を示す図。
【符号の説明】
１００…ＰＳ（端末機器）、１１０…アンテナ、１２０…無線ユニット、１３０…制御部、１３２…待受け制御部、１３４…切替え制御部、１４０…メモリ、２００…ＣＳ（基地局）、２１０…アンテナ、２２０…無線ユニット、２３０…制御部、２３２…送信制御部、２３４…第１の送信制御部、２３６…第２の送信制御部、２４０…メモリ、２５０…回線ユニット、３００…公衆網、４００…センター。
【図１】
2004096144.tif 000003
【図２】
2004096144.tif 000004
【図３】
2004096144.tif 000005
【図４】
2004096144.tif 000006
【図５】
2004096144.tif 000007
【図６】
2004096144.tif 000008
【図７】
2004096144.tif 000009